(57)【要約】      （修正有）【課題】睡眠中は無意識で身体を頻繁に動かしているため、睡眠を妨げないように、身体を自由自在に動かすことが出来る解放感があり、また動かしても身体からずれたり、敷布団との間に隙間が開いたり、ベッド等からも落ちないで保温効果がよく、快適な睡眠が日常生活や入院時に於いて得られる掛寝具を提供する。【解決手段】掛け寝具にズボンを設けて穿く事ができる掛寝具。また袖も設けて腕を通して着る事ができる掛寝具とした。更に、胸腹部に開閉窓を設けて身体に掛寝具として着用した状態で、診察、治療、手術や自分で肌に触れる事ができるようにした。更に睡眠時に必要となる物を入れるポケットを設けた。【選択図】図８
2016002197.tif 000002
【特許請求の範囲】
【請求項１】
寝た状態の身体に掛ける布団、毛布、綿布、化繊布、タオルケット、手術衣に左右の脚をそれぞれ別々に通す事が出来るズボンを設けた事を特徴とした掛寝具。
【請求項２】
請求項１の掛寝具に、左右の腕をそれぞれ別々に通すことが出来る袖を設けて四肢を通して寝ることができることを特徴とした掛寝具。
【請求項３】
胸腹部に診察、治療、手術や自分で肌に触れたり、掻いたりする事ができる開閉窓を設けたことを特徴とした請求項１、請求項２の掛寝具。
【請求項４】
寝た状態の身体に掛ける布団、毛布、綿布、化繊布、タオルケットの外面（上面）または内面にハンカチ、ティッシュ・ペーパー、財布、カード、手帳、携帯電話、スマホ、ラジオ、レコーダー、目覚まし時計、非常用ライト、非常時呼び器、常備薬、保温剤、冷却剤、香水、消臭剤を入れることができるポケットを１個或いは複数個を設けた事を特徴とした掛寝具。
【発明の詳細な説明】
【技術分野】
【０００１】
本発明は、仰向けに寝たとき、または寝ているとき身体に掛ける寝具に関し、より詳言すれば、掛ける寝具にズボンや袖を設けて四肢を通して穿いたり、着たりして身体に掛ける事ができる掛寝具に関するものである。
【背景技術】
【０００２】
睡眠中は同じ姿勢で寝ていると血行が偏り筋肉が強張るため、無意識で頻繁に身体を動かしている。したがって、掛寝具である掛布団や毛布等は、身体に、ただ載せて掛けているだけの状態のものであったため、ずれたり、敷布団との間に隙間ができたり、またベッド等から落ちたりしていた。
【０００３】
このように、従来の掛寝具は、ただ身体を覆うだけの不安定であったため、保温する役目を十分に果すことができずに冬季においては、寒く安眠できない場合が多くあると共に、風邪等の原因にもなっていた。従って、掛寝具に袖を設けて腕を通すことによって掛寝具を上半身に固定して保温ができる「かいまき」があった。しかし、睡眠中に身体を大きく、また多く動かす場所は、上半身よりも足、脚、腰の下半身であるが、「かいまき」は下半身部がフリー状態で動くため、掛寝具の役目である保温効果が悪く、脚腰が寒く、足も冷たくて辛いことが多々あった。このための対策として、「かいまき」の下半身部分を一つの袋状にして保温効果を高めた「袖付き寝袋型かいまき毛布」が開示されている（例えば、特許文献１参照）。
【先行技術文献】
【特許文献】
【０００４】
【特許文献１】特開  ２００７−１５２０４７号公報
【発明の概要】
【発明が解決しようとする課題】
【０００５】
しかしながら前述した特許文献１の「袖付き寝袋型かいまき毛布」は、寝たときは寝袋の状態で腰からの下半身は、一つの袋に収まっているために拘束されていて足、脚が自由自在に動かすことができないという課題があった。
また、特許文献１は、前方の中央部にファスナーあるいはボタン等を有する開閉部を備えて、背中の方から覆って前の中央部で閉じる羽織る寝具であり、仰向けに寝たときも身体の中央部が寝具の合わせ目になって保温性が悪くなるという課題があった。
更に、足を寝袋から出して下半身部分の寝袋を後ろに捲り上げて腰のところで止めると足と脚が自由に動かせて、歩く等の日常動作ができるようになるため、寝衣のままでのケジメのない日常生活を行うことになるという課題があった。
【０００６】
このように、就寝中の保温性を保つための掛寝具は、寝袋にすれば寝具がずれることもなく、敷布団との間に隙間もできず、ベッド等から寝具が落ちる事もないので効果的であるが、身体が寝袋の中で拘束されて、自由自在に身体を動かすことができず、掛寝具としての解放感がなくなる。また、身体の真上の中央部が合わせ目になり隙間が出来たり、部分的に保温材が少なくなって保温性が劣っていた。更に、寝衣と普段着のケジメがない生活になると云う課題もあった。
【０００７】
本発明は、このような従来の課題を鑑みて、睡眠中は解放感があると共に、実際に身体を自由自在に動かすことができ、また動かしても掛寝具がずれない、隙間も開かない、ベッド等からも落ちないで、掛寝具として身体の保温や吸汗性により、日常生活に於いて快適な睡眠が得られると共に、用途として便利である掛寝具を提供することを目的とする。
【課題を解決するための手段】
【０００８】
上記の課題を解決して目的を達成するために、第１の発明は、寝た状態で身体に掛ける布団、毛布、綿布、化繊布、タオルケット、手術衣等に左右の脚をそれぞれ別々に通して穿く事が出来るズボンを設けた掛寝具。
【０００９】
第２の発明は、請求項１の掛寝具に、袖を設けて四肢を通して寝ることができる掛寝具。
【００１０】
第３の発明は、胸腹部に診察、治療、手術や自分で肌に触れたり、掻いたりする事ができる開閉窓を設けた請求項１、請求項２の掛寝具。
【００１１】
第４の発明は、寝た状態の身体に掛ける布団、毛布、綿布、化繊布、タオルケット等の外面、または内面に物を入れることができるポケットを設けた掛寝具。
【発明の効果】
【００１２】
睡眠中に身体を大きく、また多く動かすのは足、脚の下半身であるため、掛寝具の乱れるのも下半身の方が大きく乱れて、その頻度も多い。したがって、身体から掛寝具がずれたり、敷布団との間に隙間ができたり、ベッド等から落ちたりするのも下半身の方から始まる。そこで、掛寝具にズボンを設けて穿く事により、掛寝具が下半身に常に密着固定するようになり、ずれる事もなく、隙間も開く事もなく、落ちる事もなく掛寝具の本来の機能である保温性が常に保たれるようになると共に、拘束もされずに自由自在に下半身が動かせて安眠、熟睡できる。
【００１３】
また、掛寝具にズボンと共に、袖も設けて、両腕も通すことにより、掛寝具を掛けた状態で腕が自由自在に動かす事が出来ると共に、掛寝具の上半身側も身体に固定されて、ずれたり、敷布団との間に隙間ができたり、ベッド等から落ちたりする事もなくなる。従って、掛寝具としての目的である全身の保温性が保たれて安眠できる。更に、自宅や入院中のベッド等で寝ているとき、掛寝具に関係なく手足が自由自在に動かせるので軽い手足の運動をしても、掛寝具を身体に密着させた状態が保たれて、保温と共に、ずれたり、隙間が開いたり、落ちたりすることがない。また読書で本を両手で持つなどの手を使う場合も、掛寝具を捲る必要がないため、肩部や胸部を露出させなくて済む。
【００１４】
更に、ズボンと袖を設けた掛寝具に、診察や治療、或いは手術用の開閉できる窓を設ける事により、入院中や施設等での巡回診察のときも、掛寝具を捲ったり、退かしたりすることなく、そのままで診察や治療が受けられる。また、手術の時もズボンと袖を設けて、胸腹部に開閉窓のある手術衣の掛寝具を着用することにより、手術衣がずれる事もなく安定し、手足も袖とズボンに通すことにより、掛寝具である手術衣の外に位置することになり、手術機器が手足に取り付け易く、手術がスムーズに出来る。
【００１５】
更に、掛寝具にポケットを設けることにより、ティッシュ・ペーパー、ハンカチ、スマホ、携帯電話、バイブレーター目覚まし時計、非常用ライト、非常時呼び器、常備薬、保温剤、冷却剤、香水、消臭剤等が入れられる。
【００１６】
このように、掛寝具にズボンと袖や開閉できる窓、更にポケットを設けることにより、寒がりやの人、寝相の悪い人、冷え性の人、病気の人など子供から高齢者までの一人寝の場合に適する掛寝具であり、また、汗を吸い取る素材の生地仕様にすると夏季の掛寝具にもなり、夏の寝冷えの防止や裸寝する掛寝具としても健康面と安全面に於いて安心して安全に寝れる。更に入院中など医療面においても有効であり、寒冷地から熱帯地まで世界的に活用できる革命的な掛寝具である。
【図面の簡単な説明】
【００１７】
【図１】毛布生地１ａの掛寝具Ｎ（図示せず）にズボン２を設けた一実施例の掛寝具Ｎ１を明示したものである。
【図２】実際にズボン２を設けた掛寝具Ｎ１を着用しての睡眠中の状態を示したものである。
【図３】本発明のズボン２を設けた掛寝具Ｎ１であると左右の足と脚が別々に自由自在に動かせると共に。掛寝具Ｎ１が乱れないことを示したものである。
【図４】本発明のズボン２を設けた掛寝具Ｎ１であると横向きに寝返りをしても左右の足、脚が自由自在に動かせると共に、掛寝具Ｎ１が乱れないことを示したものである。
【図５】本発明のズボン２を設けた掛寝具Ｎ１であると左右の脚の膝をそれぞれ自由自在に立てることが出来ると共に、掛寝具Ｎ１が浮いて動かないことを示したものである。
【図６】掛寝具Ｎ１のズボン２の裾を捲りＡ上げて、足と脚６を出した状態を示したものである。
【図７】毛布生地１ａにズボン２を設けた掛寝具Ｎ１に、袖６を設けて掛寝具Ｎ２とし、更に外面に１個のポケット８を設けた一実施例を明示したものである。
【図８】実際に毛布生地１ａに、ズボン２と袖６を設けた掛寝具Ｎ２を着用して睡眠中の状態を示したものであり、上面に絵柄のくま５ｂがある。
【図９】ズボン２と袖６を設けた掛寝具Ｎ２に開閉できる胸腹窓９ａと下腹窓９ｂを設けて診察、治療等ができるようにした毛布生地１ａの掛寝具Ｎ３を着用した状態を示したものである。
【図１０】ズボン２と袖６を設け、更に開閉できる手術窓９ｃを設けた手術衣生地１ｂの掛寝具Ｎ４を着用した状態を示したものである。
【図１１】タオル生地１ｃに、ズボン穴１１と袖穴１２のみを設けた掛寝具Ｎ５を着用して寝た状態を図示したものであり、上面に絵柄のペンギン５ｃがある。
【発明を実施するための形態】
【００１８】
以下、図１〜図１１に基づいて、毛布生地、手術衣生地、タオル生地を用いた本発明の掛寝具の実施例を詳細に説明する。
なお、本発明の掛寝具とは、寝るとき、寝ているとき、または寝た状態でいるときに身体に掛けるもの。ズボンとは、掛寝具と同じ生地を用いて左右の脚を別々にそれぞれ通して穿くことができる筒状のものであるが、脚を通す穴のみのものも含む。袖とは、掛寝具と同じ生地を用いて左右の腕を別々にそれぞれ通して着ることができる筒状のものであるが、腕を通す穴のみのもの（ノー・スリーブ）も含む。開閉窓とは、掛寝具の一部を開けて、身体を診たり触って作業（治療や手術）が、また自分で触れたり、掻いたりすることができ、閉じると保温や身体が保護できるものである。ポケットとは、掛寝具に物が収納できる１個、または複数個設けた袋である。
【００１９】
図１は、毛布生地１ａからなる掛寝具Ｎ（図示せず）の首カバー３がある反対側にズボン２を設けた掛寝具Ｎ１の一実施例で、仰向けに寝たとき、掛寝具Ｎ１を身体に掛けてズボン２に脚を通して穿くことができる構造になっている。
【００２０】
図２は、実際に掛寝具Ｎ１を身体に掛けて、ズボン２に脚を通して仰向けに寝た状態を図示したもので、上半身は枕４も含めて従来と同じ掛寝具の状態であるが、下半身はズボン２に通した脚により毛布生地１ａからなる掛寝具Ｎ１は、身体に密着しているのでずれたり、敷布団との間に隙間が開いたり、ベッド等から落ちたりすることはない。また、ズボン２は足が隠れる程の十分な長さにすることにより、自然に裾が塞がって保温になるが、留具で故意にズボン２の裾を留めて塞いで保温を保ってもよい。逆に、暖かい時は筒状のズボン２が取り外しできるようにしてもよい。また、うつ伏せの場合は、ズボン２に脚を通して背中に羽織った状態の掛寝具にもなる。なお、掛寝具Ｎ１の上面には、絵柄のうさぎ５ａが印刷、刺繍、ワッペン等で装飾されている。
【００２１】
図３は、毛布生地１ａにズボン２を設けた掛寝具Ｎ１であるとズボン２が毛布生地１ａから独立した状態で上面に取り付けられているので、脚を左右別々に自由自在で動かしてもズボン２だけの動きとなって掛寝具Ｎ１の下半身部分は乱れることなく、保温ができる。
【００２２】
図４は、毛布生地１ａにズボン２を設けた掛寝具Ｎ１であるとズボン２が毛布生地１ａから独立した状態で上面に取り付けられているので、脚のみを横に倒すことができる。また、横向きに寝返りして脚を横に向けると腰の部分で掛寝具Ｎ１も一緒に回るため、左右に寝返りを繰り返すと身体に掛寝具Ｎ１が纏わりついて身体を包んで密着するようになるので、掛寝具Ｎ１の腰・脚の下半身部分の保温は非常によくなる。
【００２３】
図５は、毛布生地１ａにズボン２を設けた掛寝具Ｎ１であると、膝を左右別々に自由自在で立ててもズボン２が毛布生地１ａから独立した状態で上面に取り付けられているので、ズボン２だけの動きとなって掛寝具Ｎ１は持ち上がって浮かず、乱れないので保温が保たれる。
【００２４】
図６は、毛布生地１ａにズボン２を設けた掛寝具Ｎ１であると、暑いときや足・脚６を怪我したときなどには、ズボン２の裾を捲りＡ、足や脚６をズボン２から出して寝る事ができる。
【００２５】
図７は、毛布生地１ａにズボン２を設けた掛寝具Ｎ１に、左右の腕を通すことができる袖７を設けた掛寝具Ｎ２の一実施例であり、ズボン２に脚を通して穿いて、袖７に腕を通して掛寝具Ｎ２を着た状態で寝る事ができる構造になっている（割烹着にズボンを取り付けたようなもの）。また、掛寝具Ｎ１の外面にポケット８を１個設けたものであり、ティッシュ・ペーパー、ハンカチ、スマホ、携帯電話、バイブレーター目覚まし時計、非常用ライト、非常時呼び器、常備薬、保温剤、冷却剤、香水、消臭剤等が入れられる。
【００２６】
図８は、毛布生地１ａにズボン２と袖７を設けた掛寝具Ｎ２のズボン２に、脚を通して穿き、袖７に腕を通して着て、仰向けに寝た状態を図示したものである。袖７は掛寝具Ｎ２の上面に独立した状態で位置しているため、通した腕は掛寝具Ｎ２に関係なく自由自在に動かせる。また、袖７はズボン２と同様に腕より長くなっており、手は完全に隠れて保温が保たれている。また、暖かい時などはズボン２と同様に筒状の袖７を取り外し可能として、袖穴に腕を通すのみのノー・スリーブにしてもよい。なお、掛寝具Ｎ２の上面に「絵柄のくま」５ｂが印刷、刺繍、ワッペンで装飾されており、これを一つのポケットとして兼ねてもよい。
【００２７】
図９は、毛布生地１ａにズボン２と袖７を設けた掛寝具Ｎ２に開閉ができる胸腹窓９ａと下腹窓９ｂを設けた掛寝具Ｎ３の一実施例であり、ズボン２に脚を通して穿き、袖７に腕を通して着て、仰向けに寝た状態を図示したものである。入院中等に於いて掛寝具Ｎ３を捲り上げたり、退かしたりすることなく、そのままで診察や治療を受けることができる。また、入院中のベットに寝ているとき、手足が自由自在に動かせるので軽い運動や読書ができる。更に、排尿や排便は、あくまで掛寝具であるため、従来の掛寝具と同じようにできる。
【００２８】
図１０は、ズボン２と袖７を設け、更に開閉ができる手術窓９ｃを設けた手術衣生地１ｂからなる掛寝具Ｎ４の一実施例であり、ズボン２に脚６を通して穿き、袖７に腕１０を通して着用して、仰向けに寝た状態を図示したものである。袖７を捲りＢ上げると手や腕１０に血圧計や人工透析器等の医療機器が取り付けられる。また、ズボン２を捲りＡ上げて足や脚５を出すことにより、心電図センサー等の医療機器が取り付けられ、治療や手術を容易に行うことが出来る。なお、うつ伏せの手術の場合もズボン２と袖７に四肢を通して、背中に掛ける掛寝具になる。
【００２９】
図１１は、夏季、裸で寝るときに適する掛寝具Ｎ５で、タオル生地１ｃにズボン穴１１、または袖穴１２、或いはズボン穴１１と袖穴１２の両方を設ける事により、掛寝具Ｎ５に脚６や腕１０を通して寝る事ができるため、脚６と腕１０が自由自在に動かせて解放感があり、汗も吸収され、更に身体から掛寝具Ｎ５がずれないので、寝冷えや犯罪防止にもなり、安心して寝れる。特に、健康上クーラーをかけずに裸で寝る若い女性には、胸も含めた腹掛パンツになる。なお、掛寝具Ｎ５の上面に、絵柄のペンギン５ｃが印刷、刺繍、ワッペンで装飾されており、これを一つのポケットとして兼ねることもできる。
【符号の説明】
【００３０】
１ａ    毛布生地
１ｂ    手術衣生地
１ｃ    タオル生地
２      ズボン
３      首カバー
４      枕
５ａ    絵柄のうさぎ
５ｂ    絵柄のくま
５ｃ    絵柄のペンギン
６      脚
７      袖
８      ポケット
９ａ    胸腹窓
９ｂ    下腹窓
９ｃ    手術窓
１０      腕
１１      ズボン穴
１２      袖穴
Ａ      ズボンの捲り
Ｂ      袖の捲り
Ｎ      掛寝具
Ｎ１    ズボンを設けた掛寝具
Ｎ２    ズボンと袖を設けた掛寝具
Ｎ３    胸腹部窓を設けた掛寝具
Ｎ４    手術窓を設けた掛寝具
Ｎ５    ズボン穴と袖穴のみの掛寝具
【図１】
2016002197.tif 000003
【図２】
2016002197.tif 000004
【図３】
2016002197.tif 000005
【図４】
2016002197.tif 000006
【図５】
2016002197.tif 000007
【図６】
2016002197.tif 000008
【図７】
2016002197.tif 000009
【図８】
2016002197.tif 000010
【図９】
2016002197.tif 000011
【図１０】
2016002197.tif 000012
【図１１】
2016002197.tif 000013